(57)【要約】      （修正有）【課題】引き戸用パネルをハンガーレールに懸吊するランナーをパネルの幅方向に位置調節することができるランナー装置及びランナーを提供する。【解決手段】ランナーは、転動体アッセンブリ１４と転動体支持手段１６からなり、転動体支持手段１６は、支持板と固定ねじ１６Ｔからなる。引き戸１００のパネル２０の上端面に取り付けられた溝付き保持部材１８の案内溝１８Ｇに摺動自在に係入する支持板に転動体アッセンブリ１４が取り付けられ、支持板は、転動体アッセンブリ１４の所定位置で固定ねじ１６Ｔによって溝付き保持部材１８の上部ウエブ１８Ｗに解放自在に固定される。ランナー装置１０は、少なくとも２つのランナーを含む。【選択図】図６
0003176264.tif 000002
【実用新案登録請求の範囲】
【請求項１】
引き戸のパネルの上端面に取り付けられた少なくとも２つのランナーを含み、各ランナーは、ハンガーレールの直交部を通過することができる複数の転動体を含む転動体アッセンブリと前記転動体アッセンブリを支持する転動体支持手段とから成る引き戸用ランナー装置において、前記転動体支持手段は、前記パネルの上端面に取り付けられた保持部材の案内溝に摺動自在に保持され前記転動体アッセンブリを支持する支持板と前記支持板にねじ込まれ前記転動体アッセンブリを前記保持部材の長手方向の所定位置で前記保持部材の上部ウエブに締め付けるようにねじ込んで前記支持板を解放自在に固定する固定ねじとから成っていることを特徴とする引き戸用ランナー装置。
【請求項２】
請求項１に記載の引き戸用ランナー装置であって、前記保持部材の案内溝は、前記上部ウエブと前記上部ウエブに相対して形成された中間ウエブとの間に形成されていることを特徴とする引き戸用ランナー装置。
【請求項３】
請求項１又は２に記載の引き戸用ランナー装置であって、前記固定ねじは、前記転動体アッセンブリが支持されている位置からずらせて前記支持板にねじ込まれていることを特徴とする引き戸用ランナー装置。
【請求項４】
引き戸のパネルの上端面に取り付けられて、ハンガーレールの直交部を通過することができる複数の転動体を含む転動体アッセンブリと前記転動体アッセンブリを支持する転動体支持手段とから成る引き戸用ランナーにおいて、前記転動体支持手段は、前記パネルの上端面に取り付けられた保持部材の案内溝に摺動自在に保持されるようにして前記転動体アッセンブリを支持する支持板と前記支持板にねじ込まれ前記転動体アッセンブリを前記保持部材の長手方向の所定位置で前記保持部材の上部ウエブに締め付けるようにねじ込んで前記支持板を解放自在に固定すべき固定ねじとから成っていることを特徴とする引き戸用ランナー。
【請求項５】
請求項５に記載の引き戸用ランナーであって、前記固定ねじは、転動体アッセンブリが支持されている位置からずらせて支持板にねじ込まれていることを特徴とする引き戸用ランナー。
【考案の詳細な説明】
【技術分野】
【０００１】
本考案は、パーティションの如き引き戸の上縁に取り付けられてハンガーレールに沿って走行する引き戸用ランナー装置の改良に関するものである。
【背景技術】
【０００２】
ハンガーレールに走行自在に懸吊する少なくとも２つのランナーを備えてこのランナーによってハンガーレールに沿って移動する引き戸は、種々の用途に用いられているが、例えば、この引き戸は、複数のパネルを展開してパーティションとして用いられることがある。このパーティションは、ハンガーレールに沿って横方向に並べて配置される複数のパネルから成り、ハンガーレールに沿って横方向にパネルを展開して並べた状態で部屋を仕切るが、部屋を縦横に仕切るための縦横のハンガーレールの直交部や複数のパネルを重合するように折り畳むための格納レールとハンガーレールとの直交部で直角方向に向きを切り替えて懸吊することができるようにするため、ランナーは、相互に９０度の角度で配置されたレールを走行することができる転輪アッセンブリから成っている（特許文献１乃至３参照）。
【０００３】
このランナーは、レールの直交部を経て９０度に方向転換することができるようにするため、例えば、９０度の向きを変えて配置された２対の転輪から成っており、各対の転輪は、相互に対向して配置され、従って２対の転輪は、上方から観察すると、２対の転輪を構成する４つの転輪が正方形の各辺に位置するように配置され、またレールの直交部で向きが変えられるように、ランナーは、支持基体から起立する支持軸に取り付けられている（特許文献１参照）。
【０００４】
一方、パーティションの複数のパネルを折り畳んで格納するための格納レールは、主のハンガーレールから直交して延びる１対のハンガーレールから成っており、この１対のハンガーレールは、部屋の設計に応じてその間隔が異なるのが通常である。
【０００５】
従来技術のパーティションにおいては、パネルに取り付けられた２つのランナーは、相応する格納レールの幅に合わせて予め設定された間隔でパネルの上端面に固定されており、従って２つのランナーの間隔を格納レールの間隔に合わせて現場で固定しなければならなかった。
【０００６】
【特許文献１】実公昭５９−１６４６６号公報
【特許文献２】特開平６−１０５５５号公報
【特許文献３】特公昭６２−５３６７３公報
【考案の概要】
【考案が解決しようとする課題】
【０００７】
本考案が解決しようとする１つの課題は、パネルの上端面に取り付けられる複数のランナーの間隔を相互に自由に設定することができる引き戸用ランナー装置を提供することにある。
【０００８】
本考案が解決しようとする他の課題は、パネルの上端面に横方向に位置調節することができるように取り付けられるのに適した引き戸用ランナーを提供することにある。
【課題を解決するための手段】
【０００９】
本考案の第１の課題解決手段は、引き戸のパネルの上端面に取り付けられた少なくとも２つのランナーを含み、各ランナーは、ハンガーレールの直交部を通過することができる複数の転動体を含む転動体アッセンブリと前記転動体アッセンブリを支持する転動体支持手段とから成る引き戸用ランナー装置において、前記転動体支持手段は、前記パネルの上端面に取り付けられた保持部材の案内溝に摺動自在に保持され前記転動体アッセンブリを支持する支持板と前記支持板にねじ込まれ前記転動体アッセンブリを前記保持部材の長手方向の所定位置で前記保持部材の上部ウエブに締め付けるようにねじ込んで前記支持板を解放自在に固定する固定ねじとから成っていることを特徴とする引き戸用ランナー装置を提供することにある。
【００１０】
本考案の第１の課題解決手段において、保持部材の案内溝は、前記上部ウエブと前記上部ウエブに相対して形成された中間ウエブとの間に形成されているのが好ましい。
【００１１】
本考案の第１の課題解決手段において、固定ねじは、転動体アッセンブリが支持されている位置からずらせて支持板にねじ込まれるのが好ましい。
【００１２】
本考案の第２の課題解決手段は、引き戸のパネルの上端面に取り付けられて、ハンガーレールの直交部を通過することができる複数の転動体を含む転動体アッセンブリと前記転動体アッセンブリを支持する転動体支持手段とから成る引き戸用ランナーにおいて、前記転動体支持手段は、前記パネルの上端面に取り付けられた保持部材の案内溝に摺動自在に保持されるようにして前記転動体アッセンブリを支持する支持板と前記支持板にねじ込まれ前記転動体アッセンブリを前記保持部材の長手方向の所定位置で前記保持部材の上部ウエブに締め付けるようにねじ込んで前記支持板を解放自在に固定すべき固定ねじとから成っていることを特徴とする引き戸用ランナーを提供することにある。
【００１３】
本考案の第２の課題解決手段において、固定ねじは、転動体アッセンブリが支持されている位置からずらせて支持板にねじ込まれるのが好ましい。
【考案の効果】
【００１４】
本考案によると、転動体アッセンブリは、引き戸のパネルの上端面に取り付けられた溝付き保持部材内に摺動自在に係入する支持板に取り付けられているので、パネルの幅方向の所定位置に設定することができ、またこの支持板は、固定ねじのねじ込みでパネルの所定位置で保持部材の上部ウエブに解放自在に固定することができ、従ってハンガーレールの幅に相応してパネルへの固定位置を幅方向に自由に調節することができ、引き戸の取り付け作業を容易に行うことができる。
【００１５】
また、固定ねじが転動体アッセンブリの支持位置からずらせて支持板にねじ込まれていると、転動体アッセンブリに邪魔されることなく、固定ねじのねじ込みを行うことができるので、転動体アッセンブリの位置調節作業を迅速に行うことができる。
【図面の簡単な説明】
【００１６】
【図１】本考案に係るランナー装置を備えた複数のパネルから成る引き戸を展開してパーティションとして使用されている状態の斜視図である。
【図２】図１の引き戸のパネルを折り畳んで収納している状態の斜視図である。
【図３】図２のパーティションの最左側にある１つのパネルとハンガーレールとの分解状態の斜視図である。
【図４】図３の１つのパネルの拡大斜視図である。
【図５】図４と同様であるが、図４のパネルよりも幅広のパネルの拡大斜視図である。
【図６】図３のハンガーレール及びパネルの分解部分を更に拡大して示す斜視図である。
【図７】図６の要部を一層拡大して示す斜視図である。
【図８】パネルの展開状態とランナーユニットとを示し、同図（Ａ）は、パネルの正面図、同図（Ｂ）は、図（Ａ）のＢ−Ｂ線断面図である。
【図９】パネルから取り外した状態のランナーユニットのみを示し、同図（Ａ）乃至（Ｅ）は、それぞれ、ランナーユニットの正面図、上面図、左側面図、ランナーユニットを上方左側から見た状態の斜視図、ランナーユニットを下方左側から見た状態の斜視図である。
【考案を実施するための形態】
【００１７】
以下本考案を実施するための最良の形態を図面に基づいて説明する。本考案の実施の形態によるランナー装置１０（図３以下に示されている）を備えた複数のパネル２０から成る引き戸１００が図１乃至図５に示されている。
【００１８】
この引き戸１００は、複数のパネル２０を展開するのに用いられる第１のハンガーレール（パーティション用レール）１１０と複数のパネル２０を相互に重合するように折り畳んで収納するのに用いられる第２のハンガーレール（収納レール）１２０とに懸吊される。
【００１９】
ハンガーレール１１０、１２０は、図６に詳細に示すように、断面略正方形状であって下側に後に述べるランナーの転動体アッセンブリの転動体が係合する１対のランナー転動片１１０ＵＲ、１２０ＵＲを有する所定長さの複数のレールユニット１１０Ｕ、１２０Ｕから成っている。これらのハンガーレール１１０、１２０は、レールユニット１１０Ｕ、１２０Ｕの天板部（ウエブ）を天井にねじ止めして天井に固定される。
【００２０】
各レールユニット１１０Ｕ、１２０Ｕは、レールコネクタ１３０によって相互に接続される。このレールコネクタ１３０は、レールユニット１１０Ｕ、１２０Ｕの接続方向に応じてＴ字形、Ｌ字形、Ｉ字形の形態を有し（Ｉ字形のみ図示せず）、いずれの形態のレールコネクタ１３０もレールユニット１１０Ｕ、１２０Ｕと同じ断面形状のコネクタ本体１３０Ｂとその端部下面から延びる連結片１３０Ｐを有する。Ｔ字形レールコネクタ１３０Ｔは、第１のハンガーレール１１０のレールユニット１１０Ｕの途中と第２のハンガーレール１２０の端部とを連結するのに用いられ、またＬ字形レールコネクタ１３０Ｌは、第１のハンガーレール１１０のレールユニット１１０Ｕの端部と第２のハンガーレール１２０の端部とを連結するのに用いられる。レールユニット１１０Ｕ、１２０Ｕは、その天板のやや下方にその両側内面から水平に延びる１対の水平片１１０ＵＰ、１２０ＵＰを有し、これらの水平片１１０ＵＰ、１２０ＵＰは、レールユニット１１０Ｕ、１２０Ｕの端部に差し込まれたレールコネクタ１３０の連結片１３０Ｐを受け止めてレールユニット１１０Ｕと１２０Ｕとを連結する機能を有する。図示しないＩ字形のレールコネクタは、第１のハンガーレール１１０のレールユニットを直線状に相互に連結するのに用いられる。なお、図６において、符号１１０Ｈ、１２０Ｈは、レールユニット１１０Ｕ、１２０Ｕとレールコネクタ１３０の連結片１３０Ｐとを天井にねじ止めするためのねじが貫通するねじ貫通孔である。
【００２１】
本考案のランナー装置１０は、引き戸１００のパネルの上端面に取り付けられた少なくとも２つのランナー１０Ｕを含み、各ランナー１０Ｕは、ハンガーレール１１０、１２０及びその直交部（例えば、上記のＴ字形又はＬ字形のレールコネクタ１３０Ｔ、１３０Ｌを有する部分）に走行自在に係合し相互に９０度ずらせて配置された２対の転動体１２Ｌ、１２Ｒを含む転動体アッセンブリ１４とこの転動体アッセンブリ１４を支持する転動体支持手段１６とから成っている。転動体１２Ｌ、１２Ｒは、図示の例では、「転輪」の形態であるのが示されているが、「転輪」に代えて「ボール」であってもよく、この場合、「ボール」は、例えば、支持部材１４Ｓの下面から露出するように転動自在に埋め込まれる。
【００２２】
転動体アッセンブリ１４は、特許文献１、２に示されるように公知の構造を有するので詳細な説明は省略するが、この転動体アッセンブリ１４は、図６乃至図９に示すように、四角柱状の支持部材１４Ｓを有し、１対の転動体１２Ｌは、支持部材１４Ｓの一方の相対する側面にそれぞれ回転自在に支持され、他の１対の転動体１２Ｒは、支持部材の他方の相対する側にそれぞれ回転自在に支持されている。従って、２対の転動体１２Ｌ、１２Ｒは、上方から見ると、４つの転動体が四角柱状の支持部材１４Ｓの４つの側面に相対して配置されていることになる（図９（Ｂ）参照）。支持部材１４Ｓは、その中央を垂直方向に延びるねじ孔１４Ｈに螺入して固定された支持軸１４ＳＳを有し、この支持軸１４ＳＳは、後に述べるように、転動体支持手段１６に支持されている。
【００２３】
転動体支持手段１６は、引き戸１００のパネル２０の上端面に取り付けられた溝付き保持部材１８の案内溝１８Ｇに摺動自在に保持され転動体アッセンブリ１４の支持軸１４ＳＳを固定して支持する細長の支持板１６Ｓとこの支持板１６Ｓにねじ込まれ転動体アッセンブリ１４を溝付き保持部材１８の長手方向の所定位置で溝付き保持部材１８の１対の上部ウエブ１８Ｗに締め付けるようにねじ込んで支持板１６Ｓを溝付き保持部材１８に解放自在に固定する固定ねじ１６Ｔとから成っている。図示の形態では、固定ねじ１６Ｔは、転動体アッセンブリ１４を支持する位置からずらせて支持板１６Ｓにねじ込まれている。
【００２４】
支持板１６Ｓは、図７及び図９（Ｃ）乃至（Ｅ）に示すように、下面に１対の垂直片１６ＳＶを一体に有し、これらの垂直片１６ＳＶは、図９（Ｅ）に示すように、支持軸１４ＳＳの下端部を支持板１６Ｓに符号１４Ｎで示すように加締めつける受け部１６ＳＶＮと固定ねじ１６Ｔをねじ込むねじ部１６ＴＳとの機能を有する。
【００２５】
溝付き保持部材１８は、図６及び図７に示すように、パネル２０の上端面に設けられた略Ｕ字形の長溝２０Ｇ内に嵌め込まれて図示しないねじによって溝付き保持部材１８の底壁を長溝２０Ｇの底面に締め付けてパネル２０に取り付けられる。
【００２６】
また、溝付き保持部材１８は、図６及び図７に示すように、その１対の上部ウエブ１８Ｗとの間に支持板１６Ｓが係入する案内溝１８Ｇを形成する１対の中間ウエブ１８ＭＷを有し、支持板１６Ｓは、これらのウエブ１８Ｗと１８ＭＷとの間の案内溝１８Ｇ内を円滑に摺動することができるように摺動自在に係入されている。従って、転動体アッセンブリ１４は、支持板１６Ｓを溝付き保持部材１８の案内溝１８Ｇに沿って摺動して変位することによってパネル２０の幅方向の所定位置となるように調節される。なお、図７において、符号１８Ｃは、溝付き保持部材１８の端部を閉じるように保持部材１８に嵌め込んでその内部を隠ぺいするゴム製カバーである。
【００２７】
次に、本考案のランナーの使用状態を説明すると、本考案のランナー装置１０の２つのランナー１０Ｕは、図８に示すように、引き戸１００各パネル２０の上端面に所定の間隔で取り付けられ、各パネル２０は、これらのランナー１０Ｕによって第１のハンガーレール１１０に沿って走行して、図１及び図８（Ａ）に示すように、ハンガーレール１０に沿って横方向に展開しパーティションを形成することができる。
【００２８】
このパーティションを取り払って部屋を広く使用したい場合には、引き戸１００の複数のパネル２０を本考案のランナー装置１０によって第２のハンガーレール（収納レール）１２０に順次移行して重合状態に折り畳んで引き戸１００を収納する。
【００２９】
本考案のランナー装置１０は、既に述べたように、引き戸１００のパネル２０の上端面に取り付けられた溝付き保持部材１８内に摺動自在に係入する支持板１６Ｓに転動体アッセンブリ１４が取り付けられているので、２つのランナー１０Ｕの各々をパネルの幅方向の所定位置に設定してこれらのランナー１０Ｕの間隔を第２のハンガーレール（収納レール）１２０の間隔に応じて自由に調節することができる（図４及び図５参照）。従って、引き戸１００の取り付け作業を第２のハンガーレール１２０に対応して容易に行うことができる。
【００３０】
また、各ランナー１０Ｕは、支持板１６Ｓを解放自在に固定する固定ねじ１６Ｔを緩めて溝付き保持部材１８から解放すると、支持板１６Ｓを保持部材１８に対して摺動することができるので、ランナー１０Ｕの転動体アッセンブリ１４の位置を調節することができるが、転動体アッセンブリ１４の所定設定位置で固定ねじ１６を締め付けることによって溝付保持部材１８に固定される。この場合、固定ねじ１６Ｔは、転動体アッセンブリ１４の支持位置からずらせて支持板１６Ｓにねじ込まれているので、ランナー１０Ｕの固定ねじ１６Ｔによる解放、固定は、転動体アッセンブリに邪魔されることなく行うことができ、従って転動体アッセンブリ１４の位置調節作業を迅速に行うことができる。
【００３１】
図示の実施の形態では、転動体アッセンブリ１４は、ハンガーレールの交差部で転動方向を切り替えることができるように２対の転動体１２Ｌ、１２Ｒから成っているが、転動体アッセンブリ１４を支持軸１６ＳＳの中心軸線の周りを回動することができれば、１対の転動体から成っていてもよい。
【産業上の利用可能性】
【００３２】
本考案の引き戸用ランナー装置は、パネルの上端端で横方向に位置調節することができるので、展開用のハンガーレールから収納用ハンガーレールに切り替わる場合のように各パネルでのランナーユニット間の間隔を調整しなければならない場合に、ランナーの位置を容易に調節することができ、産業上大きな利用性を有する。
【符号の説明】
【００３３】
１０        ランナー装置
１０Ｕ      ２つのランナー
１２Ｒ、１２Ｌ  ２対の転動体
１４        転動体アッセンブリ
１４Ｓ      四角柱状の支持部材
１４ＳＳ    支持軸
１４Ｈ      貫通孔
１４Ｎ      加締めつけ部
１６        転動体支持手段
１６Ｓ      細長の支持板
１６ＳＶ    １対の垂直片
１６ＳＶＮ  受け部
１６ＴＳ    ねじ部
１８        溝付き保持部材
１８Ｇ      溝
１８Ｗ      上部ウエブ
１８ＭＷ    中間ウエブ
２０        パネル
２０Ｇ      略Ｕ字形の長溝
【図１】
0003176264.tif 000003
【図２】
0003176264.tif 000004
【図３】
0003176264.tif 000005
【図４】
0003176264.tif 000006
【図５】
0003176264.tif 000007
【図６】
0003176264.tif 000008
【図７】
0003176264.tif 000009
【図８】
0003176264.tif 000010
【図９】
0003176264.tif 000011
【手続補正書】
【提出日】平成24年4月4日(2012.4.4)
【手続補正１】
【補正対象書類名】実用新案登録請求の範囲
【補正対象項目名】請求項５
【補正方法】変更
【補正の内容】
【請求項５】
請求項４に記載の引き戸用ランナーであって、前記固定ねじは、転動体アッセンブリが支持されている位置からずらせて支持板にねじ込まれていることを特徴とする引き戸用ランナー。